(57)【要約】  本発明は、振幅が制限されている相対的旋回運動を使って組み立てられ、軸方向に伸長する導体を使って相互接続されるレベルを備えるシグナルコラムに関する。レベル（Ａ）の本体は、軸方向に伸びて、隣接レベルの開口部（２３）を貫通し、回転を試みたときに前記開口部の縁に接するロッキング・バー（３０）を備える。バーの端部（３０ａ、３０ｂ）は、変位させることができ、開口部は、当該バーの上端および上のバーの下端を収容するようなサイズである。
2007536590.tif 000002
【特許請求の範囲】
【請求項１】
軸を中心とする回転により互いの上に重ね合わされ、互いに対し固定される、シグナリング・レベル、特に光学的シグナリング・レベルでできているシグナルコラムであって、
前記レベル（Ａ）は、外側壁（１１）とカバー（１２）とを含む本体（１０）をそれぞれ備え、前記本体の周囲上に分配され、前記軸に平行に伸びて、前記シグナリング部材との電気的接続を確実なものとするシグナリング部材（Ｓ）と導体（２０）を収容し、
前記本体は、限定された振幅の旋回運動により前記隣接する本体へ組み立てるための手段（１８，１９）と、旋回の間、前記異なるレベルの相互接続を確実なものとする接続のための手段（２０ａ，２０ｂ，１４ａ）とを含み、
前記本体（１０）は、軸方向に伸び、工具によりアクセス可能な第１の端部（３０ａ）と、前記隣接するレベルの前記本体の開口部（２３）を貫通することができ、前記本体の前記旋回運動を防ぐために前記開口部の縁に突き当たって接することができる第２の端部（３０ｂ）とを有するバーであって、一方の位置が引き込まれたロック位置で、他方の位置が伸ばされたロック解除位置である、軸方向の２つの異なる位置をとるように変位可能であるバー（３０）からなるロックを含む、
ことを特徴とするシグナルコラム。
【請求項２】
前記バー（３０）の前記第１の端部（３０ａ）は、上端であり、前記開口部（２３）は前記コラムの前記軸に垂直な前記カバー（１２）の上面（１２ａ）内に作られることを特徴とする請求項１に記載のシグナルコラム。
【請求項３】
前記バーの前記上端（３０ａ）は、前記工具を操作するための小穴（３１）を備え、前記ロック位置にある前記カバー（１２）の前記上面（１２ａ）に関して皿頭となっていることを特徴とする請求項２に記載のシグナルコラム。
【請求項４】
前記バー（３０）は、前記上側カバー（１２）に設けられたガイド面（２１）と前記本体の前記下側部分（１６）に設けられたガイド要素（２２）とにより前記方向（ｘ）に並進して案内されることを特徴とする請求項２に記載のシグナルコラム。
【請求項５】
前記ロッキング・バー（３０）の前記断面は、その全長にわたって一様であり、前記バーの前記端部（３０ａ，３０ｂ）は、オフセットされ、前記開口部（２３）は、前記当該バー（３０ａ）の前記第１の端部と前記隣接するレベルの前記バーの前記第２の端部（３０ｂ）とを収容するように寸法が決められることを特徴とする請求項１に記載のシグナルコラム。
【請求項６】
前記バー（３０）の前記上端（３０ａ）を収容するように前記カバー（１２）内に作られた前記開口部（２３）は、外向きに張り出された半径方向の縁（２３ａ）を備えることを特徴とする請求項１に記載のシグナルコラム。
【発明の詳細な説明】
【技術分野】
【０００１】
本発明は、コラム（column）の軸を中心として旋回することにより互いの上に重ね合わされ、互いに対し固定される、シグナリング・レベル（signaling level）、特に光学的シグナリング・レベルでできているシグナルコラム（signaling column）に関する。
【背景技術】
【０００２】
そのようなコラムのレベルは、それぞれ、外側壁とカバーとを含む本体を備え、本体の周囲上に分配され、軸に平行に伸びている、シグナリング部材との電気的接続を確実なものとするシグナリング部材と導体を収容する。このようなコラムは、例えば、文書ＦＲ  ２  １２８  ９９８から知られている。本体は、限定された振幅の旋回運動により隣接する本体へ組み立てる（assembling）ための手段と、旋回時に、異なるレベルの間の連続する接続を確実なものとする相互接続のための手段を備える。
【０００３】
さまざまなレベルが、相対的旋回運動（relative pivoting）、好ましくは下にあるレベルの本体上へのレベルの本体のバヨネット式装着（bayonet-type mounting）により組み立てられる。装着は、非常に単純であり、このことは分解も非常に単純であることを意味する。レベルを交換するか、またはレベルのシグナリング部材で作業する場合、当該レベルの上に載っているコラムの部分全体を分解するために、複数のレベルが上に重ね合わされている状態で、上側レベルを旋回させるだけで十分である。権限のないオペレータによる介入を避けるために、レベルの即時分解を、下にあるレベルに関して防止することが望ましい場合がある。
【発明の開示】
【発明が解決しようとする課題】
【０００４】
本発明の目的は、単純で、かつ、シグナルコラムの構成によく適応された態様であって、時機を失した分解を望ましく防止する態様でレベルをロックすることである。
【課題を解決するための手段】
【０００５】
本発明によれば、本体は、工具によりアクセス可能な第１の端部と、隣接する本体の開口部を貫通することができて本体の旋回運動を防ぐために開口部の縁に突き当たって接することができる第２の端部と、を備えて軸方向に伸びるバーであって、一方の位置が引き込まれたロック位置で、他方の位置が伸ばされたロック解除位置である、軸方向の２つの異なる位置をとるように変位可能であるバーからなるロックを備える。
【０００６】
開口部は、好ましくは、コラムの軸に垂直なカバーの上面に形成され、バーは、好ましくは、その全長にわたって一様な断面を備える。ロッキング・バーの端部は、オフセットされることができ、開口部は当該バーの第１の端部と隣接バーの第２の端部とを収容するように寸法が決められる。
【０００７】
好ましくは上端である、バーの第１の端部は、工具を操作するための小穴を備えると都合がよく、また半径方向に張り出し形状になっている開口部により動作が容易にされるように、ロック位置でカバーの上面に関して皿頭（countersunk）とすることができる。
【０００８】
バーは、上側カバーに設けられたガイド面と本体の下側部分に設けられたガイド要素によりコラムの軸方向に並進して簡単に案内されることができる。
【０００９】
以下の詳細な説明は、例として与えられた実施形態を、付属の図面のみを参照しつつ説明するものである。
【発明を実施するための最良の形態】
【００１０】
図に例示されているシグナルコラムＣは、複数の重ね合わされたシグナリング・レベルまたはモジュールＡを備える。図１からわかるように、コラムＣは、垂直軸Ｘに沿って伸び、互いに固定された４つのレベルＡ１〜Ａ４を備え、一番下のレベルＡ１は底部Ｂに固定され、それにより導電体の通過を確実なものとし、一番上のレベルＡ３は好ましくは蓋Ｄにより覆われる。コラムは、当然、さまざまな数のレベルを備えることができる。１つのレベルは、限られた振幅の旋回運動を行う、例えば、３０°未満の角度のバヨネット式移動により下にあるレベルの上に装着される。
【００１１】
レベルＡの本体１０は、ビーズの形態の複数の導体２０を収容する（図４および６を参照）。これらの導体は、シグナリング信号をさまざまなレベルに向けて供給し、伝送することを確実にするが、明らかに、重ね合わされたレベルに属する同族の導体の端部２０ａ、２０ｂの相互接続を仮定する。本体１０は、軸Ｘを持つ円柱状またはプリズム状の壁１１を備える。壁１１は、半透明であり、例えば、シグナリングが照明されたときに色が付き、それ以外の場合には、不透明であってよい。本体は、上面１２ａが軸Ｘに対し横に伸びる、上部カバー１２を備える。カバー１２は、その外周上には、複数の内向きに湾曲する通路１３を備え、その内側には、それらの通路に隣接し、相互接続されるべき導体の端部２０ａ、２０ｂを収容するクリップコネクタ１４ａを受け入れるように設計された絶縁接触部１４を備える。下側部分では、カバーと反対の側に、本体１０は、導体２０と下側部分１６の下側端部２０ｂ用の保持要素１５を備える。下側部分１６は、下にあるレベルの同族の連結形状１９での旋回運動により組立時に連携する、例えばバヨネット式の、下にあるレベルの上側部分１７に連結するための形状１８を備える。カバー１２は、当該レベルの本体内に収容された導体２０の端部２０ａが接続されるシグナリング部材Ｅを持つ。
【００１２】
軸方向バーからなるロック３０は、本体１０の内側に、実質的にその高さにわたって伸びる。バー３０は、本質的に剛体であり、カバー１２に設けられたガイド面２１と本体の下側部分に設けられたガイド要素２２により方向Ｘに平行に案内される。バー３０は、上端３０ａのところで、カバー１２内に作られている開口部２３を、この開口部で案内されることにより通過し、カバー１２の表面１２ａを超えて突き出ることができ、バー３０の端部３０ａは、広げられず、工具Ｔの先端を受け入れるための小穴３１を備える。下端３０ｂでは、バー３０は、要素２２で案内され、好ましくはこのカバー内にすでに備えられている開口部２３からなる下にあるレベルのカバー１２の開口部を貫通することができる。開口部２３は、一方で、外側に向かって半径方向に張り出された縁２３ａを備え、他方で、側面隣接縁２３ｂを備えることは注目すべきことである。
【００１３】
したがって、開口部２３は、当該レベルのバー３０の上端３０ａと重ね合わされたレベルの下端３０ｂを収容するように寸法が決められる。バーは、わずかに半径方向にオフセットされ、その全長にわたって一様にまっすぐな断面を持つ端部３０ａ、３０ｂにより形成されることに留意されたい。
【００１４】
ロッキング・バー３０は、上端３０ａがカバーの上面１２ａに関して突き出る、上側のロック解除位置と、上端３０ａが表面１２ａに関して皿頭となる、下側のロック位置をとることができる。これらの位置の保持は、ガイド面２１、２２に対する摩擦により部分的に確実にされる。これら２つの位置にバーを保持するために、スナップ接続部（snap connection）またはハード・ポイント（hard point）などの停止要素３２を備えることが好ましい。
【００１５】
下にあるレベルへのコラムの１つのレベルの装着は、図７および８を参照しつつ説明される。下にあるレベル（例えば、この場合はＡ１と示されている）に組み立てられるために、上側のレベル（例えば、この場合はＡ２と示される）は、Ａ２の下側部分１６がＡ１の上側部分１７内に軸方向に連動することで、最初に方向Ｘへ進められる。次いで、オペレータは、軸Ｘを中心にＡ２の本体を旋回させ、Ａ２の形状１８をＡ１の形状１９に連動させる動作を得る。これらの連結移動時には、Ａ２のロッキング・バー３０は、Ａ１のカバーに作用しないように上側のロック解除位置にある。旋回運動は、この場合には通路１３の角度方向伸長（angular extension）のオーダーの、要素１３、１４ａ、２０の構成に依存する角度で実行される。旋回運動が終了されると、Ａ２の導体２０の下端２０ｂが、Ａ１のコネクタ１４ａ内に挿入される。そこで、組み立てられた位置が、Ａ２のバー３０を下げるオペレータにより、開口部１３、表面２１、および要素２２を通って案内されつつ並進移動する形で、手作業によりまたは工具Ｔを使って、確認され、固定される。並進移動は、Ａ１のカバーの開口部２３内のバーの端部３０ｂが挿入されるまで行われる。図７からわかるように、Ａ２のバー３０の端部３０ｂは、Ａ１のバー３０の端部３０ａに隣接して収容され、したがって前記バーの阻止に寄与する。
【００１６】
Ａ２を分解しようと試みると、ロッキング・バー３０は、開口部２３の側面縁２３ｂに突き当たって接する。レベルＡ２を取り外すには、工具Ｔを使って持ち上げて、バーを図８に示されている位置に持って行くことによりバー３０の阻止を解除する必要がある。Ｔを小穴２４内に導入することは、開口部２３の外部半径方向縁２３ａに備えられた張り出し形態により容易になる。
【図面の簡単な説明】
【００１７】
【図１】本発明によるシグナルコラムの立面図である。
【図２】コラムの１つのレベルの側面図である。
【図３】図２のレベルの上面図である。
【図４】ＩＶ〜ＩＶによる概略断面を使った、重ね合わされているレベルの相互接続を示す図である。
【図５】コラムの１つのレベルの概略斜視図である。
【図６】重ね合わされたレベルの相互接続およびロックの概略を示す図である。
【図７】コラムの２つのレベルのロック状態を示す図である。
【図８】コラムの２つのレベルのロック解除状態を示す図である。
【図１】
2007536590.tif 000003
【図２】
2007536590.tif 000004
【図３】
2007536590.tif 000005
【図４】
2007536590.tif 000006
【図５】
2007536590.tif 000007
【図６】
2007536590.tif 000008
【図７】
2007536590.tif 000009
【図８】
2007536590.tif 000010
【国際調査報告】
2007536590.tif 000011
2007536590.tif 000012
2007536590.tif 000013
2007536590.tif 000014
2007536590.tif 000015
2007536590.tif 000016